(57)【要約】【課題】天然素材を有効に利用することのできる釣り竿用リールシートを提供する。【解決手段】リールシート２０は略円筒形状をなしており、外筒部２１、挿入筒部２２、および固定筒部２３からなる分割構造になっている。外筒部２１は外面に特有の模様が現れた天然素材からなる。外筒部２１の外周面には、リールの脚部が当接する形状で軸方向全体に渡って凹部２１Ａが設けられている。挿入筒部２２は、外筒部２１に内挿された挿入部２２Ｂと、挿入部２２Ｂよりも大きい外径を有する大径部２２Ａとを有している。大径部２２Ａは、外筒部２１の基端面に隣接している。固定筒部２３は、挿入部２２Ｂの先端部分のうち上記外筒部２１の先端面から突出する部分に外挿されて固定されている。【選択図】図３
0003206712.tif 000002
【実用新案登録請求の範囲】
【請求項１】
筒状をなし、外周面に軸方向に沿って延在してリールの脚部が当接される凹部が形成された釣り竿用リールシートにおいて、
天然素材からなり、外周面に前記凹部を有するとともに天然素材に特有の模様が現われている外筒部と、
前記外筒部に内挿された挿入部と、前記挿入部よりも大きい外径を有するとともに前記外筒部の一端面に隣接された大径部とを有する挿入筒部と、
前記挿入部の先端部分のうち前記外筒部の他端面から突出する部分に外挿されて固定された固定筒部と、
を備える釣り竿用リールシート。
【請求項２】
請求項１に記載の釣り竿用リールシートにおいて、
前記天然素材は、天然木材または鹿の角または天然石材である
ことを特徴とする釣り竿用リールシート。
【考案の詳細な説明】
【技術分野】
【０００１】
本考案は、釣り竿用リールシートに関する。
【背景技術】
【０００２】
ルアーフィッシングやフライフィッシングなどに用いられる釣り竿は、ブランクスと称される中空状の竿本体、グリップ、リールシート、およびリールシートにリールを装着する装着具を備えている。
【０００３】
釣り竿用のリールシートとしては、略円筒状をなし、両端部に比べて外径が拡大された拡径部を有するとともに、同拡径部の外周面にリールの脚部が当接される凹部が形成されたものがある（例えば特許文献１参照）。このリールシートの先端部には、リールの脚部のうち凹部から先端側に突出した部分を覆う固定式のキャップ（フードとも称される）が外嵌される。また、リールシートの基端部には、リールの脚部のうち凹部から基端側に突出した部分を覆う可動式のキャップが外嵌されている。これらのキャップなどからなる装着具により、リールシートにリールが装着される。
【０００４】
また、こうしたリールシートとしては、木材によって形成されたものが周知である。特に、杢と称される特有の模様が外周面に現われた天然木材によって形成されたリールシートが珍重されている。この場合、原木などに対して削りだし加工を施すことにより、上記略円筒状のリールシートが形成される。
【先行技術文献】
【特許文献】
【０００５】
【特許文献１】特開平１１−９１５０号公報
【考案の概要】
【考案が解決しようとする課題】
【０００６】
ところで、原木などの天然素材からリールシートを形成する場合、見栄えのよい模様の部分がリールシートのうち外部に露出する中央部分に位置するとは限らない。そのため、原木などの素材のうち製品として利用できる部分の割合が少なく、歩留まりが低いものとなっている。
【０００７】
本考案の目的は、天然素材を有効に利用することのできる釣り竿用リールシートを提供することにある。
【課題を解決するための手段】
【０００８】
上記課題を解決するためのリールシートは、筒状をなし、外周面に軸方向に沿って延在してリールの脚部が当接される凹部が形成された釣り竿用リールシートにおいて、天然素材からなり、外周面に前記凹部を有するとともに天然素材に特有の模様が現われている外筒部と、前記外筒部に内挿された挿入部と、前記挿入部よりも大きい外径を有するとともに前記外筒部の一端面に隣接された大径部とを有する挿入筒部と、前記挿入部の先端部分のうち前記外筒部の他端面から突出する部分に外挿されて固定された固定筒部と、を備える。
【０００９】
上記構成によれば、リールシートを外筒部、挿入筒部、および固定筒部からなる分割構造にすることができる。そして、リールシートの軸方向の両端部分において前記装着具（キャップなど）によって覆われるために外部から見えなくなる部材（挿入筒部および固定筒部）については、外面に特有の模様を有する天然素材ではない材料によって形成することができる。また、リールシートの軸方向における中央部分、すなわち装着具によって覆われないために外部から見える部材（外筒部）については、上記天然素材によって形成することができる。このように上記構成によれば、リールシートにおいて外部から見える部材のみを上記天然素材によって形成することができるため、削りだし加工によって天然素材から外筒部を形成した場合に特有の模様が外部から見える位置になったものの略全数を、商品として用いることができるようになる。したがって、リールシートの製造に際して貴重な天然素材を有効に利用することができる。
【考案の効果】
【００１０】
本考案によれば、天然素材を有効に利用することができる。
【図面の簡単な説明】
【００１１】
【図１】一実施形態のリールシートが装着された釣り竿の側面図。
【図２】同リールシートの斜視図。
【図３】同リールシートの分解斜視図。
【考案を実施するための形態】
【００１２】
以下、図１〜図３を参照して、一実施形態の釣り竿用リールシートについて説明する。
先ず、本実施形態のリールシートが装着された釣り竿の構造について説明する。
図１に示すように、釣り竿１０は、竿本体１１（いわゆるブランクス）と、リール１２が装着されるリールシート２０と、使用者によって把持されるフロントグリップ１３およびリヤグリップ１４とを備えている。
【００１３】
リールシート２０、フロントグリップ１３、およびリヤグリップ１４は、竿本体１１の基端側（図１における右側）の端部において、同竿本体１１の先端側（図１における左側）からフロントグリップ１３、リールシート２０、リヤグリップ１４の順で並ぶように配置されている。これらリールシート２０、フロントグリップ１３、およびリヤグリップ１４はいずれも、ほぼ円筒状をなしており、その中心孔に竿本体１１が挿入された状態で同竿本体１１に接着固定されている。
【００１４】
リールシート２０の外周面には、軸方向（図１における左右方向）に沿って凹部２１Ａが延設されている。竿本体１１にリール１２を取り付ける際には、この凹部２１Ａにリール１２の脚部が当接するようになっている。
【００１５】
またリールシート２０には、リール１２を装着するための装着具３０が取り付けられている。この装着具３０は、フロントキャップ３１、リヤキャップ３２、スクリュー部３３、および２つのナット３４，３５によって構成されている。
【００１６】
フロントキャップ３１は、リング状をなしており、リールシート２０の先端側の端部の外周面の略全体を覆うように同リールシート２０に固定されている。リールシート２０の凹部２１Ａに隣接する部分においては、フロントキャップ３１の内周面とリールシート２０の外周面との間に間隙が形成されている。
【００１７】
リヤキャップ３２は、リング状をなしており、竿本体１１の軸方向に移動可能な状態で、リールシート２０の基端側の端部を周囲全周に渡って覆うように同リールシート２０に取り付けられている。
【００１８】
スクリュー部３３は、外面に雄ねじを有するリング状をなしており、リールシート２０の基端側の端部を周囲全周に渡って覆うように同リールシート２０に固定されている。
ナット３４，３５は、内面に雌ねじを有するリング状をなしている。これらナット３４，３５は、リヤキャップ３２よりも基端側の位置においてスクリュー部３３の雄ねじと螺合するようにリールシート２０に取り付けられている。
【００１９】
この釣り竿１０では、以下の手順でリールシート２０にリール１２が取り付けられる。
先ず、フロントキャップ３１とリールシート２０との間隙にリール１２の脚部の先端側の端部が差し込まれるとともに、リール１２の脚部がリールシート２０の凹部２１Ａに嵌め込まれる。そして、ナット３４，３５を回転させてリヤキャップ３２をフロントキャップ３１側に移動させる。これにより、リール１２の脚部の先端側の端部がリールシート２０とフロントキャップ３１との間に挟持されるとともに、リール１２の脚部の基端側の端部がリールシート２０とリヤキャップ３２との間に挟持されて、リール１２がリールシート２０に取り付けられる。
【００２０】
次に、リールシート２０の具体構造について詳しく説明する。
図２および図３に示すように、リールシート２０は、外筒部２１、挿入筒部２２、および固定筒部２３からなる分割構造になっている。
【００２１】
外筒部２１は、略円筒形状をなしている。外筒部２１の外周面には前記凹部２１Ａが軸方向全体に渡って形成されている。外筒部２１は、外面に特有の模様を有する天然木材（例えば玉杢の欅や、縮み杢の栃）によって形成されている。
【００２２】
挿入筒部２２は、外径の大きい大径部２２Ａと外径の小さい挿入部２２Ｂとからなる段付きの円筒形状をなしている。挿入部２２Ｂは、外筒部２１の中心孔２１Ｂに内挿されるとともに、先端部分が外筒部２１の先端面から突出している。大径部２２Ａは外筒部２１の基端側の端面に隣接している。そして、この状態で挿入筒部２２の挿入部２２Ｂの外周面と外筒部２１の中心孔２１Ｂの内周面とが接着されて、挿入筒部２２が外筒部２１に固定されている。挿入筒部２２は、安価な普通の木材によって形成されている。
【００２３】
挿入筒部２２の大径部２２Ａには、その基端部外周面を覆うように、前記スクリュー部３３（図１参照）が固定されている。また挿入筒部２２の大径部２２Ａには、前記リヤキャップ３２（図１参照）が、リール１２をリールシート２０に装着したときに大径部２２Ａの外周面の上記スクリュー部３３よりも先端側の部分の全体を覆うようになる状態で取り付けられている。これによりリールシート２０は、リール１２が装着された状態において、挿入筒部２２の大径部２２Ａの外周面がスクリュー部３３およびリヤキャップ３２によって覆われて外部から見えない構造になっている。
【００２４】
固定筒部２３は、筒形状をなしており、その中心孔２３Ａに上記挿入筒部２２の挿入部２２Ｂの先端部分（詳しくは、外筒部２１の先端面から突出している部分）が挿入された状態になっている。そして、この状態で固定筒部２３の中心孔２３Ａの内周面と挿入筒部２２の挿入部２２Ｂの外周面とが接着されて、固定筒部２３が挿入筒部２２に固定されている。この固定筒部２３には、その外周面全体を覆うようにフロントキャップ３１が固定されている。これによりリールシート２０は、固定筒部２３の外周面がフロントキャップ３１によって覆われて外部から見えない構造になっている。固定筒部２３も、安価な普通の木材によって形成されている。
【００２５】
以下、こうしたリールシート２０を採用することによる作用効果について説明する。
リールシート２０は外筒部２１、挿入筒部２２、および固定筒部２３からなる分割構造になっており、外筒部２１はリールシート２０の軸方向における中央部分に配置されている。この外筒部２１は、フロントキャップ３１やリヤキャップ３２、スクリュー部３３によって覆われておらず、外部から見える位置に配置される。リールシート２０では、こうした外筒部２１は外面に特有の模様を有する天然木材によって形成される。そのため、そうした特有の模様によってリールシート２０の外面を装飾することができ、リールシート２０を高級感のあるものにすることができる。
【００２６】
一方、リールシート２０の先端側の部分には固定筒部２３が配置されている。固定筒部２３の外周面はフロントキャップ３１によって覆われているために外部からほぼ見えない。そのため、固定筒部２３を形成する材料がリールシート２０の意匠性に与える影響はごく低いと云える。リールシート２０では、そうした固定筒部２３は安価な普通の木材によって形成されている。
【００２７】
他方、リールシート２０の基端側の部分には挿入筒部２２の大径部２２Ａが配置されている。この大径部２２Ａの外周面は、リールシート２０にリール１２が装着された状態において、フロントキャップ３１およびスクリュー部３３によって覆われるために外部からほぼ見えない。また、挿入筒部２２の挿入部２２Ｂは、外筒部２１と固定筒部２３とによって覆われているために外部からほぼ見えない。このようにリールシート２０は、挿入筒部２２の全体が外部からほぼ見えない構造になっている。そのため、挿入筒部２２を形成する材料がリールシート２０の意匠性に与える影響はごく低いと云える。リールシート２０では、そうした挿入筒部２２についても安価な普通の木材によって形成されている。
【００２８】
このように本実施形態によれば、リールシート２０を構成する外筒部２１、挿入筒部２２、および固定筒部２３のうちの外部から見える部分である外筒部２１のみが上記天然木材によって形成される。そのため、削りだし加工によって天然木材から外筒部２１を形成した場合に特有の模様が外部から見える位置に現れたものであれば、その位置によることなく、釣り竿１０にリールシート２０を装着することによって外筒部２１の特有の模様が外部から見える状態になる。したがって、削りだし加工によって外面に特有の模様が現れた外筒部２１の略全数を商品として用いることができるようになる。
【００２９】
しかも、全体が天然木材からなるリールシートと比較して、リールシート２０において天然木材で形成される部分の軸方向の長さが短くなるため、天然木材の使用量を少なくすることもできる。
【００３０】
したがって、リールシート２０の製造に際して貴重な天然木材を有効に利用することができる。
＜変形例＞
なお、上記実施形態は、例えば以下のように変更することもできる。
【００３１】
・挿入筒部２２や固定筒部２３を形成する材料としては、安価に量産化を実現可能な材料であれば、木材に限らず、アルミ合金等の金属材料や合成樹脂材料などを採用することができる。
【００３２】
・外筒部２１や、挿入筒部２２、固定筒部２３を、楕円筒状に形成したり多角筒状に形成したりするなど、円筒状以外の筒状に形成してもよい。
・上記実施形態のリールシート２０は、リヤキャップ３２を軸方向に移動させるためのスクリュー部３３とナット３４，３５とを有するアップロックタイプの釣り竿１０に適用することに限らず、フロントキャップ３１を軸方向に移動させるためのスクリュー部とナットとを有するダウンロックタイプの釣り竿にも適用することができる。また、上記実施形態のリールシート２０は、スクリュー部やナットを有しておらず、フロントキャップおよびリヤキャップの一方を他方に近づけるようにスライドさせることによってリールを取り付けるタイプの釣り竿などにも適用することができる。
【００３３】
・上記実施形態のリールシート２０は、リヤグリップ１４を有していない釣り竿にも適用することができる。
・外筒部２１を形成する材料としては、外面に特有の模様（例えば杢）を有する天然木材であれば、採用することができる。また、こうした天然木材に限らず、外面に特有の模様を有する天然の素材であれば、鹿の角や天然石材（例えば大理石）など、任意の天然素材を外筒部２１を形成する材料として用いることができる。
【符号の説明】
【００３４】
１０…釣り竿、１１…竿本体、１２…リール、１３…フロントグリップ、１４…リヤグリップ、２０…リールシート、２１…外筒部、２１Ａ…凹部、２１Ｂ…中心孔、２２…挿入筒部、２２Ａ…大径部、２２Ｂ…挿入部、２３…固定筒部、２３Ａ…中心孔、３０…装着具、３１…フロントキャップ、３２…リヤキャップ、３３…スクリュー部、３４，３５…ナット。
【図２】
0003206712.tif 000003
【図３】
0003206712.tif 000004
【図１】
0003206712.tif 000005